(57)【特許請求の範囲】
【請求項１】
多数の楽曲データのうちから選択される楽曲データに対応する演奏曲を出力させるのに併行して音声入力装置により入力される音声を増幅して出力させるカラオケ装置であって、
前記多数の楽曲データのうちから入力装置による入力操作に応じて選択される楽曲データを演奏待ち曲として記憶する選曲入力制御手段と、
前記カラオケ装置を用いて一所に演奏を行う複数の成員を登録する成員登録制御手段と、
該成員登録制御手段により登録された複数の成員のうちから前記選曲入力制御手段による楽曲データの選択を規定時間行っていない成員を検出し、選曲を促す報知を行う報知制御手段と
を、備え、
前記報知制御手段は、予め定められた関係から前記成員登録制御手段により登録された成員の人数に基づいて前記規定時間を定めるものである
ことを特徴とするカラオケ装置。
【請求項２】
多数の楽曲データのうちから選択される楽曲データに対応する演奏曲を出力させるのに併行して音声入力装置により入力される音声を増幅して出力させるカラオケ装置であって、
前記多数の楽曲データのうちから入力装置による入力操作に応じて選択される楽曲データを演奏待ち曲として記憶する選曲入力制御手段と、
前記カラオケ装置を用いて一所に演奏を行う複数の成員を登録する成員登録制御手段と、
該成員登録制御手段により登録された複数の成員のうちから前記選曲入力制御手段による楽曲データの選択を規定時間行っていない成員を検出し、選曲を促す報知を行う報知制御手段と、
入力装置による入力操作に応じて前記カラオケ装置を用いたカラオケサービスに対する利用者のログイン認証を行うログイン認証制御手段と
を、備え、
前記成員登録制御手段は、前記ログイン認証制御手段によりログイン認証された利用者を前記成員として登録するものであり、
前記カラオケ装置は、前記ログイン認証制御手段によるログイン認証の対象となる各利用者毎に前記カラオケ装置を用いたカラオケサービスに関する情報を記憶する利用者データベースとの間で情報の送受信を行うものであり、
前記報知制御手段は、前記ログイン認証制御手段によりログイン認証された利用者に対応して前記利用者データベースに記憶された情報を読み出し、該情報に基づいて各利用者毎に前記規定時間を定めるものである
ことを特徴とするカラオケ装置。
【請求項３】
前記成員登録制御手段は、前記音声入力装置により入力される音声情報を解析することにより各音声情報に対応する利用者を識別し、該識別された利用者を前記成員として登録するものである請求項１に記載のカラオケ装置。
【請求項４】
前記カラオケ装置は、撮像装置を備えたものであり、
前記成員登録制御手段は、該撮像装置により撮影された画像情報を解析することにより該画像情報に含まれる各利用者の顔画像を認識し、該認識された利用者を前記成員として登録するものである請求項１に記載のカラオケ装置。
【請求項５】
前記報知制御手段による報知対象となった成員に対して、前記多数の楽曲データのうちからお勧めの楽曲データを検出して提示する楽曲推薦制御手段を備えたものである請求項１から４の何れか１項に記載のカラオケ装置。
【請求項６】
前記カラオケ装置は、該カラオケ装置を遠隔操作するために、所定の映像を表示させると共に利用者の接触に応じて前記カラオケ装置への入力を行うタッチパネルディスプレイを備えた電子早見本装置を備えたものであり、
前記選曲入力制御手段、成員登録制御手段、及び報知制御手段のうち少なくとも１つが該電子早見本装置に備えられたものである
請求項１から５の何れか１項に記載のカラオケ装置。
【請求項７】
前記報知制御手段は、該報知制御手段による報知を忌避する成員の登録に応じて、該成員に対する前記報知を非実行とするものである
請求項１から６の何れか１項に記載のカラオケ装置。
【請求項８】
前記報知制御手段は、前記成員登録制御手段により登録された成員の人数と、前記カラオケ装置により１曲の演奏曲を演奏するのに要する時間の平均値との積に基づいて前記規定時間を算出するものである
請求項１に記載のカラオケ装置。
【発明の詳細な説明】
【技術分野】
【０００１】
本発明は、多数の楽曲データのうちから選択される楽曲データに対応する演奏曲を出力させるカラオケ装置に関し、特に、カラオケ演奏に際して座が白けることを抑制するための改良に関する。
【背景技術】
【０００２】
多数の演奏曲のうちから選択される所定の演奏曲を出力させる音楽再生装置が知られている。例えば、カラオケボックス等で使用されるカラオケ装置がそれである。斯かるカラオケ装置によれば、予め記憶装置に記憶された多数のカラオケ演奏曲から選択された所定のカラオケ演奏曲の音楽情報を出力させると共に、そのカラオケ演奏曲の歌詞情報を含む映像をその出力に同期して画面に表示させることで、所望の歌のカラオケ演奏を楽しむことができる。
【０００３】
ところで、旧来のカラオケ装置によるカラオケ演奏においては、前記演奏曲の識別番号である選曲番号とその演奏曲の曲名、歌手名、及び歌い出しの歌詞等が一覧できるように記載された早見本が用いられ、利用者はその早見本を参照しつつ演奏曲の選曲予約を行うものであった。だが近年、技術の進歩に伴い上記カラオケ装置により演奏可能な演奏曲の曲数が大幅に増え、それに応じて上記早見本は分厚く参照し難いものになってきたため、斯かる不具合を解消すべく新しい選曲予約技術が提案されている。例えば、特許文献１に記載されたカラオケ選曲装置がそれである。この技術によれば、ＣＤ−ＲＯＭ等の記憶媒体からカラオケ演奏曲の選曲番号を含む目次情報を読み込み、その目次情報に基づいて所定の選曲画面を表示させることで、利用者がその選曲画面を参照しつつ簡単に選曲予約をできるとされている。
【先行技術文献】
【特許文献】
【０００４】
【特許文献１】特開平１０−３０１５８２号公報
【発明の概要】
【発明が解決しようとする課題】
【０００５】
ところで、前記カラオケ装置を用いたカラオケ演奏の実施態様としては、必ずしも気が置けない仲間同士で楽しむ態様ばかりではなく、例えば会社の飲み会後に上司を交えて利用する態様、或いは所謂コンパで知り合ったばかりのメンバーと二次会で利用する態様といったように、あまり仲の良くない成員が含まれている場合がある。そのような場合、上司に遠慮して歌唱できなかったり、知り合ったばかりの人の前で恥ずかしがって歌わなかったりする人が出るおそれがある。逆に、一部の成員が場の空気を読まず自分達ばかり立て続けに歌っている場合には、本当は歌いたいのに選曲できない人が出ることも考えられる。何れの状況においても、一所にカラオケ演奏を行っている成員の中で歌唱者に偏りが出ることにより座が白けてしまうおそれがあったが、前記従来の技術では斯かる不具合を解消することはできなかった。このため、カラオケ演奏に際して座が白けることを抑制するカラオケ装置の開発が望まれていた。
【０００６】
本発明は、以上の事情を背景として為されたものであり、その目的とするところは、カラオケ演奏に際して座が白けることを抑制するカラオケ装置を提供することにある。
【課題を解決するための手段】
【０００７】
斯かる目的を達成するために、本第１発明の要旨とするところは、多数の楽曲データのうちから選択される楽曲データに対応する演奏曲を出力させるのに併行して音声入力装置により入力される音声を増幅して出力させるカラオケ装置であって、前記多数の楽曲データのうちから入力装置による入力操作に応じて選択される楽曲データを演奏待ち曲として記憶する選曲入力制御手段と、前記カラオケ装置を用いて一所に演奏を行う複数の成員を登録する成員登録制御手段と、その成員登録制御手段により登録された複数の成員のうちから前記選曲入力制御手段による楽曲データの選択を規定時間行っていない成員を検出し、選曲を促す報知を行う報知制御手段とを、備え、前記報知制御手段は、予め定められた関係から前記成員登録制御手段により登録された成員の人数に基づいて前記規定時間を定めることを特徴とするものである。
【発明の効果】
【０００８】
このように、前記第１発明によれば、前記多数の楽曲データのうちから入力装置による入力操作に応じて選択される楽曲データを演奏待ち曲として記憶する選曲入力制御手段と、前記カラオケ装置を用いて一所に演奏を行う複数の成員を登録する成員登録制御手段と、その成員登録制御手段により登録された複数の成員のうちから前記選曲入力制御手段による楽曲データの選択を規定時間行っていない成員を検出し、選曲を促す報知を行う報知制御手段とを、備え、前記報知制御手段は、予め定められた関係から前記成員登録制御手段により登録された成員の人数に基づいて前記規定時間を定めるものであることから、一所にカラオケ演奏を行っている成員の中で長い時間選曲を行っていない人がいる場合、その人に選曲を促す報知を行うことで、歌唱者に偏りが出ることを好適に防ぐことができる。また、一所にカラオケ演奏を行っている成員の人数に応じて、選曲が少ない成員に対する報知を的確な頻度及びタイミングで行うことができる。すなわち、カラオケ演奏に際して座が白けることを抑制するカラオケ装置を提供することができる。
【０００９】
前記目的を達成するために、本第２発明の要旨とするところは、多数の楽曲データのうちから選択される楽曲データに対応する演奏曲を出力させるのに併行して音声入力装置により入力される音声を増幅して出力させるカラオケ装置であって、前記多数の楽曲データのうちから入力装置による入力操作に応じて選択される楽曲データを演奏待ち曲として記憶する選曲入力制御手段と、前記カラオケ装置を用いて一所に演奏を行う複数の成員を登録する成員登録制御手段と、その成員登録制御手段により登録された複数の成員のうちから前記選曲入力制御手段による楽曲データの選択を規定時間行っていない成員を検出し、選曲を促す報知を行う報知制御手段と、入力装置による入力操作に応じて前記カラオケ装置を用いたカラオケサービスに対する利用者のログイン認証を行うログイン認証制御手段とを、備え、前記成員登録制御手段は、前記ログイン認証制御手段によりログイン認証された利用者を前記成員として登録するものであり、前記カラオケ装置は、前記ログイン認証制御手段によるログイン認証の対象となる各利用者毎に前記カラオケ装置を用いたカラオケサービスに関する情報を記憶する利用者データベースとの間で情報の送受信を行うものであり、前記報知制御手段は、前記ログイン認証制御手段によりログイン認証された利用者に対応して前記利用者データベースに記憶された情報を読み出し、その情報に基づいて各利用者毎に前記規定時間を定めることを特徴とするものである。このようにすれば、一所にカラオケ演奏を行っている成員の中で長い時間選曲を行っていない人がいる場合、その人に選曲を促す報知を行うことで、歌唱者に偏りが出ることを好適に防ぐことができる。また、カラオケ演奏を行っている成員それぞれについて予め記憶された情報に応じて、例えばカラオケボックスへの来店回数が多い人ほど前記規定時間を短くするといったように制御することで、選曲が少ない成員に対する報知を的確な頻度及びタイミングで行うことができる。
【００１２】
ここで、好適には、前記成員登録制御手段は、前記音声入力装置により入力される音声情報を解析することにより各音声情報に対応する利用者を識別し、その識別された利用者を前記成員として登録するものである。このようにすれば、一所にカラオケ演奏を行う複数の成員を実用的な態様で把握乃至登録することができる。
【００１３】
また、好適には、前記カラオケ装置は、撮像装置を備えたものであり、前記成員登録制御手段は、その撮像装置により撮影された画像情報を解析することによりその画像情報に含まれる各利用者の顔画像を認識し、その認識された利用者を前記成員として登録するものである。このようにすれば、一所にカラオケ演奏を行う複数の成員を実用的な態様で把握乃至登録することができる。
【００１４】
また、好適には、前記報知制御手段による報知対象となった成員に対して、前記多数の楽曲データのうちからお勧めの楽曲データを検出して提示する楽曲推薦制御手段を備えたものである。このようにすれば、選曲が少ない成員に対してその旨を報知するのみならず、例えば場の雰囲気に合った演奏曲の選曲を勧めることで、その成員が歌唱し易い環境を更に好適に調えることができる。
【００１５】
また、好適には、前記カラオケ装置は、そのカラオケ装置を遠隔操作するために、所定の映像を表示させると共に利用者の接触に応じて前記カラオケ装置への入力を行うタッチパネルディスプレイを備えた電子早見本装置を備えたものであり、前記選曲入力制御手段、成員登録制御手段、及び報知制御手段のうち少なくとも１つがその電子早見本装置に備えられたものである。このようにすれば、実用的な入力装置である電子早見本装置を介して、歌唱者に偏りが出ることを好適に防ぐことができる。また、好適には、前記報知制御手段は、その報知制御手段による報知を忌避する成員の登録に応じて、その成員に対する前記報知を非実行とするものである。また、好適には、前記報知制御手段は、前記成員登録制御手段により登録された成員の人数と、前記カラオケ装置により１曲の演奏曲を演奏するのに要する時間の平均値との積に基づいて前記規定時間を算出するものである。
【図面の簡単な説明】
【００１６】
【図１】本発明のカラオケ装置及び電子早見本装置が好適に適用されるカラオケシステムを説明する概略図である。
【図２】本発明の一実施例であるカラオケ装置の構成を例示するブロック線図である。
【図３】本発明の一実施例である電子早見本装置の外観を大まかに示す斜視図である。
【図４】図３に示す電子早見本装置の構成を例示するブロック線図である。
【図５】図１に示すカラオケシステムに備えられたサーバ装置の構成を例示するブロック線図である。
【図６】図４に示す電子早見本装置のＣＰＵに備えられた制御機能の要部を説明する機能ブロック線図である。
【図７】図４に示す電子早見本装置のタッチパネルディスプレイに表示されるトップ画面の一例を示す図である。
【図８】図７に示すトップ画面に名前が「ゆういち」である利用者に対して選曲を促すメッセージが表示された様子を示す図である。
【図９】図７に示すトップ画面に名前が「ゆういち」である利用者に対してお勧め楽曲データの提示を含む選曲を促すメッセージが表示された様子を示す図である。
【図１０】図２に示すカラオケ装置の映像表示装置に、名前が「ゆういち」である利用者に対して選曲を促す報知に対応するメッセージが表示された様子を示す図である。
【図１１】図４に示す電子早見本装置のＣＰＵによるログイン／ログアウト制御の要部について説明するフローチャートである。
【図１２】図４に示す電子早見本装置のＣＰＵによる選曲入力制御の要部について説明するフローチャートである。
【図１３】図４に示す電子早見本装置のＣＰＵによる選曲を促す報知制御の要部について説明するフローチャートである。
【発明を実施するための形態】
【００１７】
以下、本発明の好適な実施例を図面に基づいて詳細に説明する。
【実施例】
【００１８】
図１は、本発明のカラオケ装置及び電子早見本装置が好適に適用されるカラオケシステム１０を説明する概略図である。この図１に示すように、上記カラオケシステム１０では、カラオケボックス、スナック、旅館等の店舗１２における複数の個室１４ａ、１４ｂ、１４ｃ、・・・（以下、特に区別しない場合には単に個室１４と称する）にそれぞれ１台乃至は複数台ずつ（図１では１台ずつ）本発明の一実施例であるカラオケ装置１６ａ、１６ｂ、１６ｃ、・・・（以下、特に区別しない場合には単にカラオケ装置１６と称する）が設置されている。これら複数のカラオケ装置１６は、ルータ２８を介して公衆電話回線等による通信回線１８に接続されており、同じくその通信回線１８に接続されたカラオケサービス提供会社のサーバ装置（センタ装置）２０との相互間でその通信回線１８を介して情報の通信が可能とされている。このサーバ装置２０は、カラオケ情報（楽曲データ）、背景映像情報、曲間情報等のデジタルコンテンツ（Digital Contents）の保管や入出力管理の基本的な制御を行うサーバであり、上記通信回線１８を介して上記カラオケ装置１６に定期的にコンテンツの配信を行うと共に、そのカラオケ装置１６からの要求に応じて所定の機能制御プログラムを送信するものである。
【００１９】
また、上記カラオケシステム１０は、本発明の一実施例である複数の電子早見本装置２２ａ、２２ｂ、２２ｃ、・・・（以下、特に区別しない場合には単に電子早見本装置２２と称する）を備えており、上記カラオケ装置１６の利用に際して、各利用者（グループ）毎に１台乃至数台ずつの上記電子早見本装置２２が貸与され、各個室１４において後述するように上記カラオケ装置１６との間で対応付け処理が行われることで、そのカラオケ装置１６の遠隔操作装置として用いられるようになっている。また、図１に示すように、上記店舗１２内には上記複数のカラオケ装置１６を相互に接続するＬＡＮ２４が敷設されており、上記電子早見本装置２２からのカラオケ装置１６への入力は、所定のアクセスポイント２６及びＬＡＮ２４を介したＬＡＮ通信等により行われる。
【００２０】
図２は、上記カラオケ装置１６の構成を例示するブロック線図である。この図２に示すように、上記カラオケ装置１６は、ＴＦＴ（Thin Film Transistor Liquid Crystal）やＰＤＰ（Plasma Display Panel）等の映像表示装置３０と、ビデオボード（グラフィックスボード）等の映像出力制御部３２と、映像情報デコーダ３４と、ビデオミキサ３６と、音源であるシンセサイザ３８と、音声入力装置であるマイクロフォン４０と、そのマイクロフォン４０から入力される音声をディジタル信号に変換するためのＡ／Ｄコンバータ４１と、アンプミキサ４２と、スピーカ４４と、操作パネル４６と、その操作パネル４６等からの入力信号を処理する入出力インターフェイス４８と、中央演算処理装置であるＣＰＵ５０と、読出専用メモリであるＲＯＭ５２と、随時書込読出メモリであるＲＡＭ５４と、記憶装置であるハードディスク５６と、モデム５８と、ＬＡＮポート６０と、上記電子早見本装置２２やリモコン装置６４等の入力装置からのリモコン信号を受信するためのリモコン受信部６２とを、備えて構成されている。
【００２１】
前記映像出力制御部３２は、前記ＣＰＵ５０において生成された歌詞文字映像等の文字映像（テロップ）を出力する文字映像出力装置として機能する他、前記映像表示装置３０による種々の映像表示を制御する表示制御装置である。また、前記映像情報デコーダ３４は、利用者が歌詞を参照しながら歌唱する際に前記ハードディスク５６に記憶された背景映像情報に基づいて所定の背景映像を再生（デコード）する背景映像再生装置である。この背景映像情報は、例えば、ＭＰＥＧ（Moving Picture Experts Group）形式のデータであり、そのＭＰＥＧデータに基づいて前記映像情報デコーダ３４により再生された背景映像は、前記ビデオミキサ３６へ送られる。また、そのビデオミキサ３６は、前記ＣＰＵ５０において生成され且つ前記映像出力制御部３２から出力される文字映像と、前記映像情報デコーダ３４により再生される背景映像とを合成して前記映像表示装置３０に表示させる映像合成装置である。
【００２２】
前記シンセサイザ３８は、前記ハードディスク５６から読み出されて送られて来るカラオケ演奏曲の演奏情報に基づいて楽器の演奏信号等の音楽信号を生成する音源である。この演奏情報は、例えば、ＭＩＤＩ（Musical Instrument Digital Interface）形式のデータであり、そのＭＩＤＩデータに基づいて前記シンセサイザ３８により生成された音楽信号は、アナログ信号に変換されて前記アンプミキサ４２へ送られる。そのアンプミキサ４２では、送られてきた音楽信号と前記マイクロフォン４０を介して入力される利用者（演奏者）の歌声とがミキシングされ、それらの信号が電気的に増幅されて前記スピーカ４４から出力される。また、前記Ａ／Ｄコンバータ４１は、音声入力装置である前記マイクロフォン４０から入力されるアナログ信号としての音声情報をディジタル信号に変換して前記ＣＰＵ５０等へ供給する。
【００２３】
前記操作パネル４６は、前記カラオケ装置１６の利用者が歌いたいカラオケ演奏曲を選択したり、演奏曲の音程を調整したり、演奏と歌との音量バランスを調整したり、その他、エコー、音量、トーン等の各種調整を行うための操作ボタン（スイッチ）或いはつまみを備えた入力装置である。また、前記カラオケ装置１６には、前記操作パネル４６の一部機能を遠隔で実行するための入力装置として機能するリモコン装置６４が備えられており、前記リモコン受信部６２は、そのリモコン装置６４から送信されるリモコン信号を受信して前記ＣＰＵ５０へ供給する。また、前記カラオケ装置１６と電子早見本装置２２との対応付け（くくりつけ）処理も前記リモコン受信部６２を介して行われ、そのようにして前記カラオケ装置１６に対応付けられた電子早見本装置２２も同様に入力装置として機能する。なお、本実施例においては、前記カラオケ装置１６に備えられたリモコン装置６４や対応付け処理の行われた電子早見本装置２２等の入力装置もそのカラオケ装置１６の一部を構成するものであるとして以下の説明を行う。
【００２４】
前記ＣＰＵ５０は、前記ＲＡＭ５４の一時記憶機能を利用しつつ前記ＲＯＭ５２に予め記憶された所定のプログラムに基づいて電子情報を処理・制御する所謂マイクロコンピュータであり、前記カラオケ装置１６に係る各種制御を実行する。すなわち、前記電子早見本装置２２やリモコン装置６４等により所定のカラオケ演奏曲が選曲された場合、その選曲されたカラオケ演奏曲を前記ＲＡＭ５４に設けられた予約曲テーブルに登録する選曲予約制御、その予約曲テーブルの演奏順に従って前記ハードディスク５６から前記ＲＡＭ５４に選曲されたカラオケ演奏曲の演奏情報及び歌詞情報（楽曲データ）を読み出す楽曲データ読出制御、カラオケ演奏曲の演奏が進行するのに応じてそのＲＡＭ５４から前記シンセサイザ３８へ演奏情報を送信する演奏出力制御、その演奏出力制御に際して前記ＲＡＭ５４に展開された歌詞情報に基づいて歌詞文字映像を生成して前記映像出力制御部３２へ送信する歌詞文字映像出力制御、上記演奏出力制御に際して前記映像情報デコーダ３４を制御して所定の背景映像を再生させる背景映像出力制御、カラオケ演奏が行われていない間すなわち曲間において、新譜情報、選曲ランキング、店舗広告等の曲間情報を出力させる曲間情報出力制御、及び前記通信回線１８を介した前記サーバ装置２０との間の情報通信制御等の基本的な制御に加えて、後述する本実施例の演奏を促す報知制御等の各種制御を実行する。
【００２５】
前記モデム５８は、前記カラオケ装置１６を公衆電話回線等による通信回線１８に接続するための装置であり、前記ＣＰＵ５０から出力されるディジタル信号をアナログ信号に変換して前記通信回線１８に送り出すと共に、その通信回線１８を介して伝送されるアナログ信号をディジタル信号に変換して前記ＣＰＵ５０に供給する処理を行う。なお、前記店舗１２に備えられた複数のカラオケ装置１６のうち何れかのカラオケ装置１６が前記ルータ２８の機能を備えてマスターコマンダとして前記通信回線１８に接続される態様も考えられ、その場合、前記モデム５８はそのマスターコマンダとして機能するカラオケ装置１６には必要とされるが、そのマスターコマンダを介して前記サーバ装置２０との間で情報の通信を行う他のカラオケ装置１６には必ずしも設けられなくともよい。
【００２６】
前記ＬＡＮポート６０は、前記カラオケ装置１６をＬＡＮ２４を介して他のカラオケ装置１６や電子早見本装置２２等の他の機器に接続するための接続器であり、前記カラオケ装置１６は、そのようにＬＡＮ２４を介して接続されることで、他のカラオケ装置１６や電子早見本装置２２等の他の機器との間で情報の送受信が可能とされる。例えば、前記アクセスポイント２６を介して受信される前記電子早見本装置２２からの選曲入力を受け付けて前記ＲＡＭ５４に設けられた予約曲テーブルに記憶したり、そのアクセスポイント２６を介して前記カラオケ装置１６から電子早見本装置２２へ所定の情報を送信したりというように、電波を介して前記カラオケ装置１６と電子早見本装置２２との間における相互の情報のやりとりが実行される。また、前記通信回線１８を介しての前記電子早見本装置２２とサーバ装置２０との間の通信も、このＬＡＮ２４乃至ルータ２８を備えたカラオケ装置１６を介して行われる。
【００２７】
前記ハードディスク５６には、カラオケ演奏曲を出力させるための多数の楽曲データ（カラオケデータ）を記憶する楽曲データベース１１８（図６を参照）をはじめとする各種データベースが設けられている。カラオケボックス等の店舗にそれぞれ備えられた複数のカラオケ装置１６のうち所定のカラオケ装置１６例えば前記カラオケ装置１６ａは、前記モデム５８を介して前記通信回線１８に接続されており、前記複数のカラオケ装置１６によって常に新しい曲が演奏可能とされるように、随時新たな楽曲データ等が前記サーバ装置２０から前記通信回線１８を介して配信され、前記ハードディスク５６の楽曲データベース１１８等に記憶される。また、そのようにして前記サーバ装置２０から情報を取得したカラオケ装置１６ａとその他のカラオケ装置１６との間で前記ＬＡＮ２４を介した通信が行われることにより、各カラオケ装置１６のハードディスク５６に記憶される情報が共有され、上記楽曲データベース１１８等の内容が等価なものとされる。
【００２８】
上記楽曲データベース１１８は、前記カラオケ装置１６により出力可能な演奏曲にそれぞれ対応する多数（例えば、数万曲分）の楽曲データ（カラオケデータ）を記憶する。この楽曲データは、前記シンセサイザ３８により所定の楽器の演奏音を生成するための演奏情報と、歌詞文字映像（歌詞テロップ）を生成するための歌詞情報と、その歌詞情報に基づいて生成された歌詞文字映像を演奏の進行に合わせて順次色替わりさせてゆくための歌詞色替情報とを、含むものであり、コンテンツＩＤである各演奏曲に固有の選曲番号により識別される。また、上記楽曲データには、その演奏曲の曲名、アーティスト名（歌手名）、発表年月日、ジャンル、曲調等の情報が関連づけられて記憶されている。
【００２９】
図３は、前記電子早見本装置２２の外観を大まかに示す斜視図である。この図３に示すように、前記電子早見本装置２２は、所定の画像（映像）を表示させると共に、利用者の接触に応じて入力を行うためのタッチパネルディスプレイ６８を備えている。また、前記カラオケ装置１６との間でデータの送受信や同期を実行したり、前記電子早見本装置２２に内蔵されたバッテリを充電する等の動作を行うスタンド型の接続架台（ドッキングテーブル）であるクレイドル６６を備えている。前記電子早見本装置２２は、そのクレイドル６６に取り付けられた状態又はそのクレイドル６６から取り外された状態で用いられ、取り付けられた状態においては、そのクレイドル６６及びＬＡＮ２４を介して前記カラオケ装置１６に有線接続されるようになっている。また、上記クレイドル６６から取り外された状態においては、上記アクセスポイント２６及びＬＡＮ２４を介して前記カラオケ装置１６に無線接続されるようになっている。
【００３０】
図４は、前記電子早見本装置２２の構成を説明するブロック線図である。この図４に示すように、前記電子早見本装置２２は、上記タッチパネルディスプレイ６８に所定の映像を表示させる表示装置７２と、その表示装置７２による表示を制御する表示制御部７４と、利用者の指や図示しない備え付けのペン等によるタッチパネルディスプレイ６８への接触により入力を行うタッチパネル７６と、そのタッチパネル７６による入力を制御する入力制御部７８と、中央演算処理装置であるＣＰＵ８０と、読出専用メモリであるＲＯＭ８２と、随時書込読出メモリであるＲＡＭ８４と、フラッシュＲＯＭ等の記憶部８６と、インターフェイス８８と、リモコン送信部９０と、無線ＬＡＮ通信部９２と、上記クレイドル６６と電気的な接続を可能とするためのコネクタ９４ａとを、備えて構成されている。上記クレイドル６６には、斯かる電子早見本装置２２と電気的な接続を可能とするためのコネクタ９４ｂが設けられており、前記電子早見本装置２２は、前記クレイドル６６に載置されて上記コネクタ９４ａ及び９４ｂが相互に接触させられることで、上記インターフェイス８８を介して前記クレイドル６６乃至はＬＡＮ２４に接続されるようになっている。
【００３１】
上記ＣＰＵ８０は、上記ＲＡＭ８４の一時記憶機能を利用しつつ上記ＲＯＭ８２に記憶された情報に基づいて情報処理を実行する所謂マイクロコンピュータであり、上記表示制御部７４を介して前記タッチパネルディスプレイ６８（表示装置７２）に所定の映像を表示させたり、その映像に基づく前記タッチパネルディスプレイ６８（タッチパネル７６）への接触により上記入力制御部７８を介して入力される入力信号を処理したり、その入力信号に基づき前記無線ＬＡＮ通信部９２等を介して前記カラオケ装置１６へ選曲入力をはじめとする入力送信を行ったり、マスターコマンダである前記カラオケ装置１６ａを介して前記サーバ装置２０との間で情報の通信を行う等といった基本的な制御に加えて、後述するログイン情報送信制御や演奏を促す報知制御等の各種制御を実行する。また、上記記憶部８６には、好適には、前記カラオケ装置１６の楽曲データベース１１８に記憶された多数のカラオケ情報それぞれに対応して曲名、アーティスト名、属性情報、歌詞の歌い出し部分等の選曲案内情報、及び備考等が選曲番号毎に記憶されている。
【００３２】
また、図４に示すように、前記電子早見本装置２２は、音声入力装置としてのマイクロフォン９６及び撮像装置としてのデジタルカメラ９８を備えている。このマイクロフォン９６は、音波に対応する機械的な振動を電気信号に変換する電気音響変換器であり、このマイクロフォン９６により入力された音声情報は、図示しないＡ／Ｄコンバータによりディジタル信号に変換されて前記ＣＰＵ８０等へ供給され、例えばＡＶＩ（Audio-Video Interleaved）形式、ＭＰＥＧ（Moving Picture Experts Group）形式等の音声ファイルとして前記ＲＡＭ８４等に記憶される。なお、このマイクロフォン９６は、必ずしも前記電子早見本装置２２の一部として備えられたものでなくともよく、例えば前記カラオケ装置１６のマイクロフォン４０により入力されて前記Ａ／Ｄコンバータ４１によりディジタル信号に変換された音声情報が前記ＬＡＮ２４等を介して前記電子早見本装置２２に入力されるものであってもよい。
【００３３】
上記デジタルカメラ９８は、例えばＣＣＤ（charge coupled device）等の撮像素子及びレンズを備え、そのレンズから入射される映像をＣＣＤにより検知し、その映像を電子情報（映像データ）として取得する所謂デジタルビデオカメラであり、少なくとも静止画（スチル写真）を撮影し得るものであるが、必要に応じて動画（時間の経過に従い変化する動きのある映像）を撮影できるように構成されたものであってもよい。このデジタルカメラ９８により撮影された映像情報は、図示しないビデオ端子等のインターフェイスを介して前記ＣＰＵ８０等へ供給され、例えばＪＰＥＧ（Joint Photographic Experts Group）形式、ＰＮＧ（Portable Network Graphics）形式等の画像ファイルとして前記ＲＡＭ８４等に記憶される。なお、このデジタルカメラ９８は、必ずしも前記電子早見本装置２２の一部として備えられたものでなくともよく、例えば前記個室１４における所定位置に固設された別体のデジタルカメラ、前記カラオケ装置１６に備えられたデジタルカメラ、或いは携帯電話機に備えられた撮像装置等により撮影された映像が所定のインターフェイスを介して前記電子早見本装置２２に入力される態様も考えられる。また、上記デジタルカメラ９８は、好適には、前記電子早見本装置２２におけるタッチパネルディスプレイ６８側に、そのタッチパネルディスプレイ６８による操作を行う利用者の顔を撮影できる位置にレンズが設けられている。
【００３４】
図５は、前記サーバ装置２０の構成を説明するブロック線図である。この図５に示すように、前記サーバ装置２０は、中央演算処理装置であるＣＰＵ１００により随時書込読出メモリであるＲＡＭ１０４の一時記憶機能を利用しつつ読出専用メモリであるＲＯＭ１０２に予め記憶されたプログラムに従って信号処理を行う所謂ノイマン型コンピュータであり、前記カラオケ装置１６からの配信要求に応じた楽曲データ等のコンテンツ配信制御をはじめとする基本的な制御に加えて、前記カラオケシステム１０の利用者を対象とするソーシャルネットワークサービス（Social Network Service）を管理運営する制御等、本実施例のカラオケシステム１０に関する各種制御を実行する。このソーシャルネットワークサービスとは、例えば、予め会員登録された会員相互間に限定して情報の閲覧等のサービスを提供する会員制のコミュニティ型のウェブサイトをいう。なお、以下の説明において、ソーシャルネットワークサービスをＳＮＳと略称する。
【００３５】
前記サーバ装置２０は、ビデオボード１０８により制御されるＴＦＴやＰＤＰ等の映像表示装置１０６と、インターフェイス１１２を介して接続されるキーボード等の入力装置１１０と、上記ＣＰＵ１００を前記通信回線１８に接続するための装置であるモデム１１４とを、備えて構成されている。前記サーバ装置２０は、このモデム１１４を介して前記通信回線１８に接続されることにより、その通信回線１８に接続された前記複数のカラオケ装置１６との間で相互に情報の送受信が可能とされている。また、前記サーバ装置２０には、前記カラオケ装置１６に配信するための多数の前記カラオケデータを記憶する図示しない楽曲データベースの他、上記ＳＮＳに関する情報を記憶するＳＮＳデータベース１１６等の各種データベースが設けられている。
【００３６】
上記ＳＮＳデータベース１１６は、前記カラオケシステム１０を利用する各利用者毎の、前記カラオケ装置１６を用いたカラオケ演奏に関する情報を、その利用者の識別情報（ユーザＩＤ）と関連付けて記憶する記憶装置である。このＳＮＳデータベース１１６には、ユーザＩＤにより識別される各利用者毎に、例えばその利用者の名前（ニックネーム）、生年月日、実際の年齢、性別、メールアドレス、地域、血液型、星座、ＳＮＳへのログイン認証に用いられるパスワード、パスワードを忘れたときのための質問及び解答、アバタ（ネット上において利用者を象徴する人型映像）に関する情報、利用者の顔写真、利用者の音声（録音された音声情報）、及び利用者の歌年齢等の情報がその利用者のユーザＩＤと関連付けられて記憶される。この歌年齢とは、利用者の演奏曲の好みの傾向がどの程度の年代（何歳）に相当するものかを示す仮想的な年齢情報であり、対象となる利用者が前記カラオケ装置１６において過去に選曲（演奏）した演奏曲に基づいて判断される値である。また、上記ＳＮＳデータベース１１６には、各利用者の前記カラオケ装置１６を用いたカラオケ演奏に関する情報として、例えばその利用者が過去に利用したカラオケ装置１６に対応する店舗１２（そのカラオケ装置１６が設置された店舗１２）に関する情報である来店履歴、その利用者が前記カラオケ装置１６によるカラオケ演奏において十八番曲として登録した演奏曲（簡易な操作により選曲入力を行い得るように設定された演奏曲）に関する情報、その利用者が過去に前記カラオケ装置１６によるカラオケ演奏において選曲した選曲履歴（カラオケ装置１６において過去に選曲された演奏曲の履歴）に関する情報、その利用者が前記カラオケ装置１６によるカラオケ演奏において過去に行った演奏評価の評価結果に関する情報、及びその利用者がフレンドとして登録した他の利用者に関する情報等が各利用者毎にその利用者のユーザＩＤと関連付けられて記憶される。
【００３７】
前記サーバ装置２０のＣＰＵ１００は、前記カラオケシステム１０におけるＳＮＳに関する情報登録制御乃至管理制御を行う。具体的には、前記カラオケ１６の入力装置としての前記電子早見本装置２２等による入力操作に応じて、前記ＳＮＳデータベース１１６に新規ユーザ（利用者）の登録を行ったり、そのＳＮＳデータベース１１６に記憶された登録内容を変更（更新）したり、そのＳＮＳデータベース１１６に記憶された複数の利用者をフレンドとして相互に関連付けて登録したり、前記カラオケ装置１６による評価結果を各利用者毎に記憶したり、前記カラオケ装置１６或いは電子早見本装置２２からの要求に応じて前記ＳＮＳデータベース１１６に記憶された情報を配信したりというように、前記カラオケシステム１０におけるＳＮＳの統括的な管理制御を行う。
【００３８】
図６は、前記電子早見本装置２２のＣＰＵ８０に備えられた制御機能の要部を説明する機能ブロック線図である。なお、本実施例では、図６に示す各種制御機能が前記電子早見本装置２２のＣＰＵ８０に備えられた態様について説明するが、後述するように、それら制御機能の一部乃至全部が前記カラオケ装置１６のＣＰＵ５０に機能的に備えられたものであってもよい。また、前記カラオケ装置１６のＣＰＵ５０により以下の制御が行われる場合には、後述する成員データベース１３０及び予約曲データベース１３２のうち少なくとも一方が前記カラオケ装置１６のＲＡＭ５４に設けられるものであってもよい。
【００３９】
図６に示すログイン認証制御手段１２０は、所定の入力装置による入力操作に応じて利用者の前記カラオケ装置１６を用いたカラオケサービス（ＳＮＳ）に対するログイン認証を行う。例えば、前記電子早見本装置２２のタッチパネルディスプレイ６８（タッチパネル７６）により入力される識別情報（ユーザＩＤ）及びパスワード等の情報に応じて利用者のログイン認証を行い、その認証が正常に行われた場合にはその識別情報をもってその利用者の前記カラオケ装置１６（カラオケシステム１０によるサービス）へのログインを許可する。例えば、前記電子早見本装置２２により入力された情報に基づき前記サーバ装置２０に照会を行うことにより斯かるログイン認証を行う。すなわち、前記電子早見本装置２２により入力された識別情報及びログインパスワードに関して、その識別情報に関連付けられて前記サーバ装置２０のＳＮＳデータベース１１６に記憶されたパスワードが入力されたものと一致するか否かを判定し、一致する場合には正常な認証を行う一方、一致しない場合にはエラーとする。なお、このログイン認証に関して、実質的な制御（判定）は前記サーバ装置２０の側で行うものであってもよい。また、このログイン認証制御手段１２０により正常な認証が行われた場合、ログインが許可された利用者に関連付けられて前記ＳＮＳデータベース１１６に記憶された各種情報、例えばその利用者の名前（ニックネーム）、実際の年齢、及び歌年齢等の情報が前記サーバ装置２０から通信回線１８を介してダウンロードされ、前記電子早見本装置２２に表示可能に前記記憶部８６等に記憶される。
【００４０】
成員登録制御手段１２２は、前記カラオケ装置１６を用いて一所に演奏を行う複数の成員を登録する。この一所に演奏を行う成員とは、例えば同じ個室１４内において共にカラオケ演奏を行うメンバーであり、その個室１４内に設置されたカラオケ装置１６が１台である場合には、その１台のカラオケ装置１６を用いて共にカラオケ演奏を行う複数のカラオケ演奏者に相当する。この成員登録制御手段１２２は、好適には、上記ログイン認証制御手段１２０によりログイン認証された利用者を前記成員として登録する。すなわち、上記ログイン認証制御手段１２０により正常な認証が行われたユーザＩＤに対応する利用者を、前記カラオケ装置１６を用いて一所に演奏を行う複数の成員として登録し、例えば前記ＲＡＭ８４又は記憶部８６に設けられた成員テーブル１３０に記憶する。また、好適には、この成員テーブル１３０に登録された各利用者に対応して、前記ＳＮＳデータベース１１６から読み出された各種情報、例えばその利用者の名前（ニックネーム）、実際の年齢、及び歌年齢等の情報を記憶する。
【００４１】
また、上記成員登録制御手段１２２は、好適には、音声入力装置である前記マイクロフォン９６により入力される音声情報を解析することにより各音声情報に対応する利用者を識別し、その識別された利用者を前記成員として登録する。例えば、所定のカラオケ装置１６による演奏開始時に対応する、そのカラオケ装置１６に対する前記電子早見本装置２２の対応付け（くくりつけ）処理直後において、そのカラオケ装置１６を用いて共にカラオケ演奏を行う複数のメンバー（カラオケ演奏者）それぞれに１人ずつ前記マイクロフォン９６により音声を入力させ、その音声情報を前記ＲＡＭ８４又は記憶部８６に記憶させる。ここで、好適には、各利用者による音声の入力（音声情報の記憶）に際して、前記タッチパネルディスプレイ６８等によりその利用者の名前（ニックネーム）の入力を受け付ける。そして、各音声情報に対応する利用者を前記カラオケ装置１６を用いて一所に演奏を行う複数の成員として前記成員テーブル１３０に登録する。なお、上記成員登録制御手段１２２等、利用者の音声に基づいて処理を行う制御手段は、前記マイクロフォン４０により入力された音声情報を前記ＬＡＮ２４等を介して取得し、その音声情報に基づいて同等の制御を行うものであってもよい。以下の説明において同じである。
【００４２】
また、前記成員登録制御手段１２２は、好適には、撮像装置である前記デジタルカメラ９８により撮影された画像情報を解析することによりその画像情報に含まれる各利用者の顔画像を認識し、その認識された利用者を前記成員として登録する。例えば、前記カラオケ装置１６に対する前記電子早見本装置２２の対応付け処理直後において、そのカラオケ装置１６を用いて共にカラオケ演奏を行う複数のメンバーそれぞれを１人ずつ前記デジタルカメラ９８により撮影し、その撮影された映像情報に含まれる各利用者の顔画像（画像情報）を前記ＲＡＭ８４又は記憶部８６に記憶させる。ここで、好適には、各利用者の撮影（画像情報の記憶）に際して、前記タッチパネルディスプレイ６８等によりその利用者の名前（ニックネーム）の入力を受け付ける。そして、各顔画像（画像情報）に対応する利用者を前記カラオケ装置１６を用いて一所に演奏を行う複数の成員として前記成員テーブル１３０に登録する。
【００４３】
選曲入力制御手段１２４は、前記カラオケ装置１６により出力可能な多数の楽曲データのうちから入力装置による入力操作に応じて選択される楽曲データを演奏待ち曲として記憶する。例えば、前記電子早見本装置２２のタッチパネルディスプレイ６８（タッチパネル７６）に対する利用者の接触入力操作に応じて、前記カラオケ装置１６の楽曲データベース１１８に記憶された多数の演奏曲から選択される所定の演奏曲を、演奏待ち曲として前記ＲＡＭ８４又は記憶部８６に設けられた予約曲テーブル１３２に基本的には入力順に記憶する。また、好適には、選曲入力制御手段１２４による選曲入力が行われた場合、上記予約曲テーブル１３２における記憶と共に、或いはその代替として、前記カラオケ装置１６に対して選曲入力された演奏曲の選曲番号の入力（送信）を行い、そのカラオケ装置１６のＲＡＭ５４等に設けられた予約曲テーブルに上記選曲入力された演奏曲を演奏待ち曲として記憶する。
【００４４】
上記選曲入力制御手段１２４は、好適には、選曲を行った主体である成員と関連付けてその選曲に係る演奏曲の選曲番号を記憶する。例えば、前記ログイン認証制御手段１２０によるログイン認証に対応して成員の登録を行う態様においては、各利用者のユーザＩＤと関連付けて上記選曲入力された演奏曲の選曲番号を上記予約曲テーブル１３２に記憶する。また、前記マイクロフォン９６により入力される音声情報に対応して成員の登録を行う態様においては、各利用者の音声情報と関連付けて上記選曲入力された演奏曲の選曲番号を上記予約曲テーブル１３２に記憶する。また、前記デジタルカメラ９８により撮影される顔画像に対応して成員の登録を行う態様においては、各利用者の顔画像と関連付けて上記選曲入力された演奏曲の選曲番号を上記予約曲テーブル１３２に記憶する。
【００４５】
図７は、前記電子早見本装置２２のタッチパネルディスプレイ６８（表示装置７２）に表示されるトップ画面１３４の一例を示す図である。本実施例の電子早見本装置２２においては、例えば前記ログイン認証制御手段１２０によるログイン認証が行われた場合、各利用者に対応して図７に示すようなトップ画面１３４が個別に表示される。この図７に示すトップ画面１３４は、名前（ニックネーム）が「サーヤ」である利用者に対応して表示されたものであり、そのトップ画面１３４の一部に表示されたユーザー切替ボタン１３６に対して前記タッチパネル７６による入力操作（指や備え付けのペン等によりユーザー切替ボタン１３６に対応する部分に接触する操作）が行われた場合、前記ログイン認証制御手段１２０によりログイン認証された他の利用者に対応するトップ画面に切り替えられるようになっている。なお、前記ログイン認証制御手段１２０によるログイン認証が行われていない利用者に対応して、前記成員テーブル１３０に登録されたどの成員にも対応しない名前「ゲスト」に対応するトップ画面にも切替可能とされている。
【００４６】
また、図７に示すトップ画面１３４には、前記カラオケ装置１６を用いて一所に演奏を行う複数の成員それぞれを示すサムネイル画像１６２ａ〜１６２ｆ（以下、特に区別しない場合には単にサムネイル画像１６２という）が表示されるようになっている。このサムネイル画像１６２は、例えば前記ログイン認証制御手段１２０によるログイン認証に対応して成員の登録を行う態様においては、各利用者に対応して前記ＳＮＳデータベース１１６に記憶されたアバタに関する情報に基づいて、そのアバタの顔に対応する画像が表示される。また、前記デジタルカメラ９８により撮影された顔画像に対応して成員の登録を行う態様においては、その登録に対して撮影された各利用者の顔画像が縮小表示されるものであってもよい。本実施例の電子早見本装置２２においては、その時点におけるその電子早見本装置２２の操作主体（アクティブユーザ）である利用者に対応するサムネイル画像１６２（図７においては「サーヤ」に対応するサムネイル画像１６２ｆ）がカラーで表示される一方、他の利用者に対応するサムネイル画像１６２がモノクロ（白黒）で表示されるようになっている。そして、上記ユーザー切替ボタン１３６に対する操作に応じてトップ画面すなわち操作主体となる利用者が切り替えられた場合、それに応じてカラー表示されるサムネイル画像１６２も新たな操作主体となる利用者のものに切り替えられる。
【００４７】
図７に示すように、各利用者毎に表示される上記トップ画面１３４には、選曲操作を開始するための選曲スタートボタン１３８、前記ＳＮＳデータベース１１６において各利用者毎に設けられたウェブサイトであるマイルームにアクセスするためのマイルームボタン１４０、前記カラオケ装置１６の音量（スピーカ４４からの出力音量）を調節するための音量ボタン１４２、その時点において前記カラオケ装置１６により出力されている演奏曲の出力を停止するための演奏停止ボタン１４４、その時点において前記カラオケ装置１６により出力されている演奏曲の音程（キー）乃至出力速度を調節するための演奏調節ボタン１４６、その時点において前記カラオケ装置１６により出力されている演奏曲の音程を元のキー（デフォルト値）に戻すための原曲キーボタン１４８、その時点において前記カラオケ装置１６により出力されている演奏曲を最初から歌い直す操作を行うための歌い直し／スタートボタン１５０、その時点において前記カラオケ装置１６により出力されている演奏曲を早送りする早送りボタン１５２、その時点において前記カラオケ装置１６による演奏待ち曲として前記予約曲テーブル１３２等に記憶されている演奏曲を確認するための予約確認ボタン１５４、前記ＳＮＳデータベース１１６に係るＳＮＳに新たな利用者を新規登録するための新規登録ボタン１５６、前記ＳＮＳデータベース１１６に係るＳＮＳにログインするためのログインボタン１５８、前記ＳＮＳデータベース１１６に係るＳＮＳからログアウトするためのログアウトボタン１６０等の各種操作ボタンが表示され、各操作ボタンに対して前記タッチパネル７６による入力操作（指や備え付けのペン等により各操作ボタンに対応する部分に接触する操作）が行われることにより、それぞれの操作ボタンに係る処理が実行されるようになっている。
【００４８】
例えば、図７に示すトップ画面１３４において、上記選曲スタートボタン１３８に対して前記タッチパネル７６による入力操作が行われた場合、前記楽曲データベース１１８に記憶された多数の楽曲データから条件を満たす楽曲データを検索するための楽曲検索画面が表示される。この楽曲検索画面では、例えば５０音の文字入力等が可能とされ、入力された文字乃至文字列に基づく楽曲データの検索が行われるようになっており、その楽曲検索画面に従って検索操作が行われることで選曲候補となる楽曲データが絞り込まれる。なお、前記カラオケ装置１６の楽曲データベース１１８に記憶された多数のカラオケ情報それぞれに対応する情報が前記記憶部８６に記憶されている構成においては、必ずしも前記楽曲データベース１１８（カラオケ装置１６）に記憶された情報を参照しなくともよく、前記記憶部８６の記憶内容に基づいて楽曲データの検索を行うものであってもよい。そして、利用者が歌いたい演奏曲に対応する楽曲データが見つかり、その楽曲データの選曲を決定する操作が行われると、上述のようにその楽曲データに対応する選曲番号が前記カラオケ装置１６へ送信されると共に、その選曲番号が演奏待ち曲として前記予約曲テーブル１３２に記憶される。
【００４９】
図６に示す報知制御手段１２６は、前記成員登録制御手段１２２により登録された複数の成員のうちから前記選曲入力制御手段による楽曲データの選択を規定時間行っていない成員を検出し、その成員に対して選曲を促す報知を行う。例えば、前記成員テーブル１３０に記憶された複数の成員それぞれに対応して、前記予約曲テーブル１３２に記憶された最新の（最も遅く記憶された）予約曲を照会し、現時点とその予約曲の予約時点との差が上記規定時間以上である成員に対して選曲を促す報知を行う。すなわち、上記報知制御手段１２６は、好適には、前記成員テーブル１３０に記憶された複数の成員のうち前記選曲入力制御手段１２４による選曲入力（カラオケ装置１６への送信）を上記規定時間以上行っていない成員に対して選曲を促す報知を行うものであるが、選曲操作はしているものの、歌いたい曲が見つからずに迷っている場合も考えられるので、前記ユーザー切替ボタン１３６が押されること等により前記電子早見本装置２２における操作主体となる利用者が対象となる成員に切り替えられた場合、上記規定時間のカウントがリセットされるものであってもよい。更に、各利用者に対応してインターネット上に設けられたウェブサイトであるマイルームへのアクセスが上記規定時間以上なされていない場合、その利用者が規定時間以上楽曲データの選択を行っていないと判定するものであってもよい。すなわち、前記成員テーブル１３０に記憶された複数の成員のうち前記選曲入力制御手段１２４による選曲入力の主体となるための操作を上記規定時間以上行っていない成員に対して選曲を促す報知を行うものであってもよい。
【００５０】
また、前記マイクロフォン９６により入力される音声情報に対応して成員の登録を行う態様において、上記報知制御手段１２６は、好適には、前記カラオケ装置１６のマイクロフォン４０により入力された音声情報を前記ＬＡＮ２４等を介して取得し、その音声情報に基づいて上記規定時間楽曲データの選択を行っていない成員を検出する。すなわち、前記カラオケ装置１６のマイクロフォン４０により入力された音声情報を解析することにより各音声情報に対応する利用者を識別し、前記成員テーブル１３０に記憶された複数の成員のうち前記カラオケ装置１６のマイクロフォン４０による音声入力を上記規定時間以上行っていない成員を、前記選曲入力制御手段１２４による楽曲データの選択を規定時間行っていない成員として検出する。この識別乃至検出は、よく知られた周波数解析による声紋分析等の手法により行われる。また、各利用者に対応して前記ＳＮＳデータベース１１６に記憶された音声情報に基づいて斯かる識別乃至検出が行われるものであってもよい。選曲入力が行われた場合、基本的にはその入力主体である利用者によりカラオケ演奏が行われる。従って、前記規定時間以上音声の入力が行われていない成員を判定することで、前記選曲入力制御手段１２４による楽曲データの選択を規定時間行っていない成員を検出することができる。
【００５１】
また、前記デジタルカメラ９８により撮影される顔画像に対応して成員の登録を行う態様において、前記報知制御手段１２６は、好適には、前記デジタルカメラ９８により撮影された画像情報に基づいて前記規定時間楽曲データの選択を行っていない成員を検出する。すなわち、前記電子早見本装置２２に備えられた前記デジタルカメラ９８により撮影された画像情報を解析することによりその画像情報に含まれる各利用者の顔画像を認識し、前記成員テーブル１３０に記憶された複数の成員のうち対応する顔画像が前記デジタルカメラ９８により前記規定時間以上撮影されない成員を、前記選曲入力制御手段１２４による楽曲データの選択を規定時間行っていない成員として検出する。この認識乃至検出は、よく知られた顔認識乃至画像解析等の手法により行われる。また、各利用者に対応して前記ＳＮＳデータベース１１６に記憶された顔画像に基づいて斯かる識別乃至検出が行われるものであってもよい。前記デジタルカメラ９８は、好適には、前記電子早見本装置２２におけるタッチパネルディスプレイ６８側に、そのタッチパネルディスプレイ６８による操作を行う利用者の顔を撮影できる位置にレンズが設けられているため、前記電子早見本装置２２を用いて操作を行った場合、その利用者の顔写真が撮影される。従って、前記規定時間以上顔画像が撮影されない成員を判定することで、前記選曲入力制御手段１２４による楽曲データの選択を規定時間行っていない成員を検出することができる。
【００５２】
図８は、図７に示すトップ画面１３４に名前（ニックネーム）が「ゆういち」である利用者に対して選曲を促すメッセージ１６４が表示された様子を示す図である。この図８に示すように、前記報知制御手段１２６は、好適には、「そろそろゆういちさんの歌が聞きたいですね！」というように、報知の対象となる成員を識別できる文章（テキスト情報）による報知を行う。また、好適には、斯かる報知を行うと共に、報知の対象となる成員を操作主体とするように前記電子早見本装置２２の表示を切り替えるためのダイレクト切替ボタン１６６を前記タッチパネルディスプレイ６８（表示装置７２）に表示させる。また、好適には、このダイレクト切替ボタン１６６が押される等、報知の対象となる成員による選曲に係る操作が行われた場合或いは表示から一定時間が経過した場合には、その時点で上記メッセージ１６４を消去する。
【００５３】
図８に示すようなメッセージによる報知に関して、前記報知制御手段１２６は、例えば、前記ログイン認証制御手段１２０によるログイン認証に対応して成員の登録を行う態様においては、対象となる利用者に対応して前記ＳＮＳデータベース１１６に記憶された名前（ニックネーム）を含むメッセージを表示させる。また、前記マイクロフォン９６により入力される音声情報に対応して成員の登録を行う態様においては、その登録に際して各音声情報に対応して入力された各利用者の名前（ニックネーム）を含むメッセージを表示させる。また、前記デジタルカメラ９８により撮影される顔画像に対応して成員の登録を行う態様においては、その登録に際して各顔画像に対応して入力された各利用者の名前（ニックネーム）を含むメッセージを表示させるか、或いは名前を提示せず顔画像を表示させることにより対象となる成員を識別させてもよい。
【００５４】
また、前記報知制御手段１２６は、好適には、予め定められた関係から前記成員登録制御手段１２２により登録された成員の人数に基づいて前記規定時間を定める。例えば、前記成員テーブル１３０に登録されている成員の人数が５人である場合には、１曲の演奏曲を歌うのにかかる時間の平均を６分として５×６＝３０分を前記規定時間として設定する。すなわち、好適には、前記成員登録制御手段１２２により登録された成員の人数と、前記カラオケ装置１６により１曲の演奏曲を演奏するのに要する時間の平均値（標準演奏時間）との積を前記規定時間として算出する。
【００５５】
また、前記報知制御手段１２６は、前記ログイン認証制御手段１２０によるログイン認証に対応して成員の登録を行う態様において、好適には、前記ログイン認証制御手段１２０によりログイン認証された利用者に対応して前記ＳＮＳデータベース１１６に記憶された情報を読み出し、その情報に基づいて各利用者毎に前記規定時間を定める。例えば、基本的には上述の処理により、予め定められた関係から前記成員登録制御手段１２２により登録された成員の人数に基づいて前記規定時間を定めると共に、各利用者に対応して前記ＳＮＳデータベース１１６に記憶された情報に基づいて対象となる利用者に係る前記規定時間を補正する。例えば、前記ＳＮＳデータベース１１６に記憶された選曲履歴に対応する累計選曲数が多いほど前記規定時間が短くなるように補正する。また、来店履歴に対応する来店回数が多いほど前記規定時間が短くなるように補正する。また、十八番曲として登録している演奏曲の曲数が多いほど前記規定時間が短くなるように補正する。斯かる補正を行うことで、前記カラオケ装置１６によりカラオケ演奏を行う頻度が高いと判定される利用者に対しては頻繁に選曲を促す報知を行う一方、カラオケ演奏を行う頻度が低いと判定される利用者に対しては選曲を促す報知を行うまでの時間を長くとることで、各利用者に合わせてメリハリの利いた報知を行うことができる。
【００５６】
図６に示す楽曲推薦制御手段１２８は、前記報知制御手段１２６による報知対象となった成員に対して、前記カラオケ装置１６により出力可能な多数の楽曲データのうちからお勧めの楽曲データを検出して提示する。好適には、その日のカラオケ演奏において歌われた演奏曲すなわち前記カラオケ装置１６に対する前記電子早見本装置２２の対応付け処理が行われてからその時点までに選曲されて前記予約曲テーブル１３２に記憶された複数の楽曲データに基づいて、前記報知制御手段１２６による報知対象となった成員に対するお勧めの楽曲データを検出して提示する。例えば、前記予約曲テーブル１３２に記憶された複数の楽曲データそれぞれの属性情報であるジャンル、アーティスト名（歌手名）、発表年月日、及び曲調等の情報に基づいて、例えばそれら複数の楽曲データに対応する属性情報のうち最も多いものをその属性情報とする楽曲データを前記楽曲データベース１１８から検出し、その検出された楽曲データを前記報知制御手段１２６による報知対象となった成員に対するお勧めの楽曲データとして提示する。
【００５７】
また、上記楽曲推薦制御手段１２８は、前記ログイン認証制御手段１２０によるログイン認証に対応して成員の登録を行う態様において、好適には、そのログイン認証制御手段１２０によりログイン認証された利用者に対応して前記ＳＮＳデータベース１１６に記憶された情報を読み出し、その情報に基づいてその利用者に対する上記お勧めの楽曲データの検出乃至提示を行う。例えば、前記報知制御手段１２６による報知対象となった成員に対応して前記ＳＮＳデータベース１１６に記憶された十八番曲、選曲履歴、及び歌年齢等に基づいて、例えば十八番曲として登録された楽曲データや選曲履歴において最も多く歌われていた演奏曲に対応する楽曲データを、その成員に対するお勧めの楽曲データとして検出乃至提示する。
【００５８】
図９は、図７に示すトップ画面１３４に名前（ニックネーム）が「ゆういち」である利用者に対してお勧め楽曲データの提示を含む選曲を促すメッセージ１６８が表示された様子を示す図である。この図９に示すように、前記報知制御手段１２６は、好適には、「ゆういちさん、『逢いたくて／小林タロー』を歌ってみませんか？」というように、前記楽曲推薦制御手段１２８により検出された楽曲データの曲名、アーティスト名、及び報知の対象となる成員を識別できる文章（テキスト情報）による報知を行う。また、好適には、斯かる報知を行うと共に、報知の対象となる成員を操作主体として前記楽曲推薦制御手段１２８により検出された楽曲データ（お勧めの楽曲データ）を選曲入力するためのダイレクト選曲ボタン１７０を前記タッチパネルディスプレイ６８（表示装置７２）に表示させる。
【００５９】
以上、専ら前記電子早見本装置２２を主体として図６に示す各種制御機能の説明をしたが、前述した各種制御は前記カラオケ装置１６を主体として実行されるものであってもよい。すなわち、前記ログイン認証制御手段１２０、成員登録制御手段１２２、選曲入力制御手段１２４、報知制御手段１２６、及び楽曲推薦制御手段１２８の一部乃至全部が前記カラオケ装置１６のＣＰＵ５０に機能的に備えられたものであってもよく、また、前記カラオケ装置１６及び電子早見本装置２２が相互に情報の送受信を行うことで相補的に前述した各種制御を実行するように構成されたものであってもよい。例えば、図１０は、前記報知制御手段１２６による報知に対応するメッセージ１７４が前記カラオケ装置１６の映像表示装置３０に表示された様子を示す図である。この図１０に示すように、前記報知制御手段１２６は、例えば、前記カラオケ装置１６によるカラオケ演奏制御に際して前記映像表示装置３０に表示されるカラオケ演奏画面１７２の一部に、対象である成員に対して選曲を促す報知に対応するメッセージ１７４を表示させるものであってもよい。また、前記楽曲推薦制御手段１２８により検出された楽曲データの選曲番号を含むメッセージを上記カラオケ演奏画面１７２の一部に表示させる態様も考えられる。
【００６０】
図１１は、前記電子早見本装置２２のＣＰＵ７０によるログイン／ログアウト制御の要部について説明するフローチャートであり、所定の周期で繰り返し実行されるものである。
【００６１】
先ず、ステップ（以下、ステップを省略する）ＳＡ１において、前記電子早見本装置２２のタッチパネルディスプレイ６８（タッチパネル７６）を介してログイン情報すなわち識別情報（ユーザＩＤ）及びログインパスワードの入力があったか否かが判断される。このＳＡ１の判断が否定される場合には、ＳＡ８以下の処理が実行されるが、ＳＡ１の判断が肯定される場合には、ＳＡ２において、ＳＡ１にて入力された識別情報及びログインパスワードが前記サーバ装置２０へ送信される。次に、ＳＡ３において、前記サーバ装置２０から正常にログインされたとの応答が返信されたか否かが判断される。このＳＡ３の判断が肯定される場合には、ＳＡ４において、正常にログイン処理が行われ、ＳＡ５において、利用者の名前（ニックネーム）、実際の年齢、及び歌年齢等の情報が前記サーバ装置２０のＳＮＳデータベース８６から通信回線１８を介してダウンロードされ、前記電子早見本装置２２等に表示可能に記憶される。次に、ＳＡ６において、ＳＡ４にて正常にログイン認証された利用者が前記カラオケ装置１６を用いて一所に演奏を行う成員として前記成員テーブル１３０に登録された後、ＳＡ８以下の処理が実行される。ＳＡ３の判断が否定される場合には、ＳＡ７において、エラーである旨が前記電子早見本装置２２等に表示された後、ＳＡ８において、前記電子早見本装置２２のタッチパネルディスプレイ６８（タッチパネル７６）により所定の利用者のログアウト処理を行うための入力があったか否かが判断される。このＳＡ８の判断が否定される場合には、それをもって本ルーチンが終了させられるが、ＳＡ８の判断が肯定される場合には、ＳＡ９において、対象となる利用者のログアウト処理が行われる。次に、ＳＡ１０において、ＳＡ９にてログアウトした利用者が前記成員テーブル１３０から削除された後、本ルーチンが終了させられる。
【００６２】
図１２は、前記電子早見本装置２２のＣＰＵ７０による選曲入力制御の要部について説明するフローチャートであり、所定の周期で繰り返し実行されるものである。
【００６３】
先ず、ＳＢ１において、前記電子早見本装置２２のタッチパネルディスプレイ６８（タッチパネル７６）を介して、前記カラオケ装置１６に対して所定の演奏曲（楽曲データ）を演奏待ち曲として入力する選曲入力操作が行われたか否かが判断される。このＳＢ１の判断が否定される場合には、ＳＢ４以下の処理が実行されるが、ＳＢ１の判断が肯定される場合には、ＳＢ２において、選曲された演奏曲の選曲番号が操作主体である利用者のユーザＩＤと共に前記ＬＡＮ２４等を介して前記カラオケ装置１６へ送信される。次に、ＳＢ３において、ＳＢ２にて送信された演奏曲の選曲番号及び操作主体である利用者のユーザＩＤが関連付けられて前記予約曲テーブル１３２に記憶される。次に、ＳＢ４において、前記電子早見本装置２２のタッチパネルディスプレイ６８（タッチパネル７６）を介して、操作主体である利用者を切り替える操作が行われたか否かが判断される。このＳＢ４の判断が否定される場合には、それをもって本ルーチンが終了させられるが、ＳＢ４の判断が肯定される場合には、ＳＢ５において、前記電子早見本装置２２のタッチパネルディスプレイ６８（表示装置７２）の表示が、切替に係る他の利用者に対応するトップ画面に切り替えられた後、本ルーチンが終了させられる。
【００６４】
図１３は、前記電子早見本装置２２のＣＰＵ７０による選曲を促す報知制御の要部について説明するフローチャートであり、所定の周期で繰り返し実行されるものである。
【００６５】
先ず、ＳＣ１において、前記成員テーブル１３０に登録された複数の成員それぞれに対応して、その成員テーブル１３０に登録された成員の人数及び各成員に対応して前記ＳＮＳデータベース１１６に記憶された情報等に基づいて、選曲を促す報知タイミングの算出基準となる規定時間が算出される。次に、ＳＣ２において、前記成員テーブル１３０に登録された複数の成員のうち、ＳＣ１にて算出された規定時間以上選曲操作（楽曲データの選択操作）を行っていない成員がいるか否かが判断される。このＳＣ２の判断が否定される場合には、それをもって本ルーチンが終了させられるが、ＳＣ２の判断が肯定される場合には、ＳＣ３において、選曲を促す報知の対象として検出された成員に対して、前記楽曲データベース１１８に記憶された楽曲データのうちからお勧めの楽曲データが検索（検出）される。次に、ＳＣ４において、選曲を促す報知の対象として検出された成員に対して、ＳＣ３にて検索されたお勧めの楽曲データに関する情報を含む、選曲を促す報知に対応するメッセージが、前記電子早見本装置２２のタッチパネルディスプレイ６８（表示装置７２）に表示された後、本ルーチンが終了させられる。
【００６６】
以上、図１１〜図１３を用いて説明した制御において、ＳＡ１〜ＳＡ５及びＳＡ７〜ＳＡ９が前記ログイン認証制御手段１２０の動作に、ＳＡ６及びＳＡ１０が前記成員登録制御手段１２２の動作に、ＳＢ１〜ＳＢ５が前記選曲入力制御手段１２４の動作に、ＳＣ１、ＳＣ２、及びＳＣ４が前記報知制御手段１２６の動作に、ＳＣ３及びＳＣ４が前記楽曲推薦制御手段１２８の動作に、それぞれ対応する。
【００６７】
このように、本実施例によれば、前記カラオケ装置１６により出力し得る多数の楽曲データのうちから入力装置としての前記電子早見本装置２２等による入力操作に応じて選択される楽曲データを演奏待ち曲として記憶する選曲入力制御手段１２４（ＳＢ１〜ＳＢ５）と、前記カラオケ装置１６を用いて一所に演奏を行う複数の成員を登録する成員登録制御手段１２２（ＳＡ６及びＳＡ１０）と、その成員登録制御手段１２２により登録された複数の成員のうちから前記選曲入力制御手段１２４による楽曲データの選択を規定時間行っていない成員を検出し、その成員に対して選曲を促す報知を行う報知制御手段１２６（ＳＣ１、ＳＣ２、及びＳＣ４）とを、備えたものであることから、一所にカラオケ演奏を行っている成員の中で長い時間選曲を行っていない人がいる場合、その人に選曲を促す報知を行うことで、歌唱者に偏りが出ることを好適に防ぐことができる。すなわち、カラオケ演奏に際して座が白けることを抑制するカラオケ装置１６を提供することができる。
【００６８】
また、前記報知制御手段１２６は、予め定められた関係から前記成員登録制御手段１２２により登録された成員の人数に基づいて前記規定時間を定めるものであるため、一所にカラオケ演奏を行っている成員の人数に応じて、選曲が少ない成員に対する報知を的確な頻度及びタイミングで行うことができる。
【００６９】
また、入力装置による入力操作に応じて前記カラオケ装置１６を用いたカラオケサービスに対する利用者のログイン認証を行うログイン認証制御手段１２０（ＳＡ１〜ＳＡ５及びＳＡ７〜ＳＡ９）を備え、前記成員登録制御手段１２２は、そのログイン認証制御手段１２０によりログイン認証された利用者を前記成員として登録するものであるため、一所にカラオケ演奏を行う複数の成員を実用的な態様で把握乃至登録することができる。
【００７０】
また、前記カラオケ装置１６は、前記ログイン認証制御手段１２０によるログイン認証の対象となる各利用者毎に前記カラオケ装置１６を用いたカラオケサービスに関する情報を記憶する利用者データベースとしてのＳＮＳデータベース１１６との間で情報の送受信を行うものであり、前記報知制御手段１２６は、前記ログイン認証制御手段１２０によりログイン認証された利用者に対応して前記ＳＮＳデータベース１１６に記憶された情報を読み出し、その情報に基づいて各利用者毎に前記規定時間を定めるものであるため、カラオケ演奏を行っている成員それぞれについて予め記憶された情報に応じて、例えばカラオケボックスへの来店回数が多い人ほど前記規定時間を短くするといったように制御することで、選曲が少ない成員に対する報知を的確な頻度及びタイミングで行うことができる。
【００７１】
また、前記成員登録制御手段１２２は、音声入力装置である前記マイクロフォン４０により入力される音声情報を解析することにより各音声情報に対応する利用者を識別し、その識別された利用者を前記成員として登録するものであるため、一所にカラオケ演奏を行う複数の成員を実用的な態様で把握乃至登録することができる。
【００７２】
また、前記カラオケ装置１６は、撮像装置としての前記デジタルカメラ９８を備えたものであり、前記成員登録制御手段１２２は、そのデジタルカメラ９８により撮影された画像情報を解析することによりその画像情報に含まれる各利用者の顔画像を認識し、その認識された利用者を前記成員として登録するものであるため、一所にカラオケ演奏を行う複数の成員を実用的な態様で把握乃至登録することができる。
【００７３】
また、前記報知制御手段１２６による報知対象となった成員に対して、前記多数の楽曲データのうちからお勧めの楽曲データを検出して提示する楽曲推薦制御手段１２８（ＳＣ３及びＳＣ４）を備えたものであるため、選曲が少ない成員に対してその旨を報知するのみならず、例えば場の雰囲気に合った演奏曲の選曲を勧めることで、その成員が歌唱し易い環境を更に好適に調えることができる。
【００７４】
また、本実施例によれば、前記カラオケ装置１６により出力し得る多数の楽曲データのうちから前記タッチパネルディスプレイ６８（タッチパネル７６）による入力操作に応じて選択される楽曲データを演奏待ち曲として前記カラオケ装置１６へ送信する選曲入力制御手段１２４（ＳＢ１〜ＳＢ５）と、前記カラオケ装置１６を用いて一所に演奏を行う複数の成員を登録する成員登録制御手段１２２（ＳＡ６及びＳＡ１０）と、その成員登録制御手段１２２により登録された複数の成員のうちから前記選曲入力制御手段１２４による楽曲データの選択を規定時間行っていない成員を検出し、その成員に対して選曲を促す報知を行う報知制御手段１２６（ＳＣ１、ＳＣ２、及びＳＣ４）とを、備えたものであることから、一所にカラオケ演奏を行っている成員の中で長い時間選曲を行っていない人がいる場合、その人に選曲を促す報知を行うことで、歌唱者に偏りが出ることを好適に防ぐことができる。すなわち、カラオケ演奏に際して座が白けることを抑制する電子早見本装置２２を提供することができる。
【００７５】
また、前記電子早見本装置２２は、前記ログイン認証制御手段１２０によるログイン認証の対象となる各利用者毎に前記カラオケ装置１６を用いたカラオケサービスに関する情報を記憶する前記ＳＮＳデータベース１１６との間で情報の送受信を行うものであり、前記報知制御手段１２６は、前記ログイン認証制御手段１２０によりログイン認証された利用者に対応して前記ＳＮＳデータベース１１６に記憶された情報を読み出し、その情報に基づいて各利用者毎に前記規定時間を定めるものであるため、カラオケ演奏を行っている成員それぞれについて予め記憶された情報に応じて、例えばカラオケボックスへの来店回数が多い人ほど前記規定時間を短くするといったように制御することで、選曲が少ない成員に対する報知を的確な頻度及びタイミングで行うことができる。
【００７６】
また、前記電子早見本装置２２は、音声入力装置としての前記マイクロフォン９６を備えたものであり、前記成員登録制御手段１２２は、そのマイクロフォン９６により入力される音声情報を解析することにより各音声情報に対応する利用者を識別し、その識別された利用者を前記成員として登録するものであるため、一所にカラオケ演奏を行う複数の成員を実用的な態様で把握乃至登録することができる。
【００７７】
また、前記電子早見本装置２２は、撮像装置としてのデジタルカメラ９８を備えたものであり、前記成員登録制御手段１２２は、そのデジタルカメラ９８により撮影された画像情報を解析することによりその画像情報に含まれる各利用者の顔画像を認識し、その認識された利用者を前記成員として登録するものであるため、一所にカラオケ演奏を行う複数の成員を実用的な態様で把握乃至登録することができる。
【００７８】
以上、本発明の好適な実施例を図面に基づいて詳細に説明したが、本発明はこれに限定されるものではなく、更に別の態様においても実施される。
【００７９】
例えば、前述の実施例において、前記報知制御手段１２６は、前記成員テーブル１３０に登録された複数の成員のうち規定時間以上選曲を行っていない成員に対して一律に選曲を促す報知を行うものであったが、本発明はこれに限定されるものではなく、報知を忌避する成員を登録可能とし、斯かる成員に対しては前記報知制御手段１２６による報知を行わないものであってもよい。例えば、前記ログイン認証制御手段１２２によるログイン認証或いは前記成員登録制御手段１２２による成員登録に際して、カラオケ演奏を行わない（歌わない）利用者を登録させ、その利用者に対しては前記報知制御手段１２６による選曲を促す報知を非実行とする。斯かる制御により、最初から歌う気がない利用者に対して繰り返し選曲を促す報知が行われることにより、その利用者が気分を害し却って場の雰囲気が悪化することを抑制できる。
【００８０】
また、前述の実施例において、前記報知制御手段１２６は、図７に示すような選曲を促すメッセージ１６４等を前記電子早見本装置２２のタッチパネルディスプレイ６８等に表示させるものであったが、斯かるメッセージ１６４の表示に加えて、報知の対象となる成員がカラオケ演奏を忌避する意思を表示するための「やっぱり歌わない」ボタンを表示させるものであってもよい。この「やっぱり歌わない」ボタンが押された場合、前記タッチパネルディスプレイ６８に表示された選曲を促すメッセージ１６４等は消去される。また、前記報知制御手段１２６により繰り返される所定の成員に対応する選曲を促す報知に対して、「やっぱり歌わない」ボタンが所定回数（例えば２回）以上押された場合には、その成員がカラオケ演奏を忌避する意思を示しているものとして、以降の選曲を促す報知を非実行とする態様も考えられる。
【００８１】
また、前述の実施例においては、専ら前記電子早見本装置２２を入力装置として前記選曲入力制御手段１２４等の制御を行う態様について説明したが、例えば、その選曲入力制御手段１２４は、前記楽曲データベース１１８に記憶された多数の楽曲データのうちから前記リモコン装置６４による入力操作に応じて選択される楽曲データを演奏待ち曲として記憶するものであってもよく、前記リモコン装置６４等を入力装置として用いる態様においても、本発明は好適に適用される。
【００８２】
また、前述の実施例において、前記楽曲推薦制御手段１２８は、その日のカラオケ演奏において歌われた演奏曲、報知の対象となる成員に対応して前記ＳＮＳデータベース１１６に記憶された情報等に基づいて、その成員に対するお勧めの楽曲データを検出するものであったが、斯かるお勧め楽曲データの検出に関して、メドレー曲（例えば、所定のアーティストの有名曲を複数繋げて１曲の演奏曲として構成したもの）、非楽曲系コンテンツ（一般的な歌唱曲ではない演奏曲）、及びキッズソング（例えばアニメソング等、予め定められた子供向けの楽曲）等を、そのお勧め楽曲データの対象から除外するものであってもよい。
【００８３】
また、前述の実施例において、前記報知制御手段１２６は、前記電子早見本装置２２の操作、マイクロフォン９６により入力される音声情報、乃至デジタルカメラ９８により撮影される画像情報等に基づいて、規定時間以上選曲に係る操作を行っていない成員を検出するものであったが、他の態様により斯かる成員の検出を行うものであってもよい。例えば、前記カラオケ装置１６乃至電子早見本装置２２がサーモグラフィすなわち物体や生体の表面の温度分布を画像として表示する温度分布検査装置を備えた構成において、カラオケ演奏を行う各利用者の体表温度をサーモグラフィにより検査し、体温が比較的高い利用者を歌唱を行っている利用者として検出（認識）する態様が考えられる。また、前記デジタルカメラ９８により撮影された画像情報を解析することによりその画像情報に含まれる各利用者の顔画像を認識し、その顔画像における表情が暗い利用者は歌唱を行っていないと判断する等の制御を行うものであってもよい。更に、カラオケ演奏開始時において、演奏を行う人数が店舗側のＰＯＳシステムからカラオケ装置１６乃至電子早見本装置２２へ送られ、カラオケ演奏中において前記カラオケ装置１６に対して入力される音声情報の解析等により歌唱を行っている人数を算出し、ＰＯＳシステムから送られてきた人数とその歌唱を行っている人数とを比較することで歌唱している人数が少ないと判断された場合に歌唱を促す報知を行う等の態様も考えられる。
【００８４】
その他、一々例示はしないが、本発明はその趣旨を逸脱しない範囲内において種々の変更が加えられて実施されるものである。
【符号の説明】
【００８５】
１６：カラオケ装置
２２：電子早見本装置（入力装置）
４０：マイクロフォン（音声入力装置）
６４：リモコン装置（リモコン装置）
６８：タッチパネルディスプレイ
９６：マイクロフォン（音声入力装置）
９８：デジタルカメラ（撮像装置）
１１６：ＳＮＳデータベース（利用者データベース）
１２０：ログイン認証制御手段
１２２：成員登録制御手段
１２４：選曲入力制御手段
１２６：報知制御手段
１２８：楽曲推薦制御手段
１６４、１６８、１７４：メッセージ（選曲を促す報知）
【図１】
0005480090.tif 000002
【図２】
0005480090.tif 000003
【図３】
0005480090.tif 000004
【図４】
0005480090.tif 000005
【図５】
0005480090.tif 000006
【図６】
0005480090.tif 000007
【図７】
0005480090.tif 000008
【図８】
0005480090.tif 000009
【図９】
0005480090.tif 000010
【図１０】
0005480090.tif 000011
【図１１】
0005480090.tif 000012
【図１２】
0005480090.tif 000013
【図１３】
0005480090.tif 000014